(57)【要約】【課題】釣人が状況に合わせて柄部の長さを調整しつつ用いることが可能な玉網を提供する。【解決手段】玉網の柄２は、第１筒状体１１と、第１筒状体１１の先端側に振出形式で連結される第２筒状体１２とを有する。第２筒状体１２の手元側端部には、手元側端面に手元側方向に突出する係合柱２０ａ及び係合柱２０ａの柱頭に於いて径方向に張出した係止片２０ｂを有する前栓２０が連結される。第１筒状体１１の手元側端部には、係合柱２０ａを収納可能な収納部を先端側に於いて有すると共に、係止片２０ｂが挿通可能な切欠３０ｂが一部に形成された鍔３０ａを先端側端部周縁に有する後栓３０とを備える。【選択図】      図２
2004254653.tif 000002
【特許請求の範囲】
【請求項１】
第１筒状体と、前記第１筒状体の先端側に振出形式で連結される第２筒状体とを少なくとも有する玉網の柄であって、
前記第２筒状体の手元側端部に脱着自在に装着され、手元側端面に手元側方向に突出する係合柱及び前記係合柱の柱頭に於いて径方向に張出した係止片を有する前栓と、
前記第１筒状体の手元側端部に脱着自在に装着され、前記係合柱を収納可能な収納部を先端側に於いて有すると共に、前記係止片が挿通可能な切欠が一部に形成された前記係止片が係止される鍔を先端側端部周縁に有する後栓と、
前記前栓の係止片が前記鍔に係止された状態で前記係合柱の周方向回転を規制するストッパー機構と
を備えた栓。
【請求項２】
前記前栓は、その係合柱が矩形板型柱であり前記係合柱の柱頭の端面の長径方向に前記係止片が張出し、また、前記係合柱の柱頭の端面には凹入するボール受けが形成されており、
前記後栓は、手元側端面より前記収納部に連通する通路を有し、前記通路内に収納され前記収納部に向かって一部が突出するボールと、前記ボールを先端側に付勢する付勢バネとを有しており、
前記ボール受け及びボールが前記ストッパー機構である、請求項１に記載の玉網の柄。
【発明の詳細な説明】
【０００１】
【発明の属する技術分野】
本発明は魚釣りに用いる玉網の柄に関する。
【０００２】
【従来の技術】
魚釣りを行う際に、釣竿の仕掛けに係った魚を引き上げるために玉網が用いられる。玉網は、環状の枠部と、枠部に固定される袋状の網と、枠部に連結された柄とを有している。この柄は、複数の先細りテーパの施された筒状体を順次振出形式に連結してなるものであり、順次手元側の筒状体内に先端側の筒状体が収納可能となっている（例えば、一般的な玉網の構造を示すものとして、特許文献１参照）。
【０００３】
このような玉網では、収納時は柄を構成する筒状体を順次手元側に収納したコンパクトな状態としておく。そして、釣竿の仕掛けにかかった魚を釣り上げる際に、網側を水面に向かって勢いよく差し出し、順次の筒状体を引き出して長い一本の柄部として先端の網に魚をすくい入れる。
【０００４】
【特許文献１】
特開２００２−２４７９３１号公報
【０００５】
【発明が解決しようとする課題】
従来の玉網の柄は一定数の筒状体を連結してなる柄部を有するものであり、各筒状体を長く引き出して一本の筒状体とした場合の全体の長さも決まっている。
しかし、釣りを行う際に必要となる玉網の柄の長さは必ずしも一定ではない。即ち、魚をすくい入れる為に引き延ばして差し出す玉網の柄の長さは、釣り場の状況によって様々である。そこで、玉網の柄を引き延ばした状態での長さを調整して、用いることができる玉網の柄が求められている。
【０００６】
本発明の課題は、釣人が状況に合わせて柄部の長さを調整しつつ用いることが可能な玉網を提供することにある。
【０００７】
【課題を解決するための手段】
発明１の柄は、第１筒状体と、第１筒状体の先端側に振出形式で連結される第２筒状体とを少なくとも有する玉網の柄である。そして、第２筒状体の手元側端部に脱着自在に装着され、手元側端面に手元側方向に突出する係合柱及び係合柱の柱頭に於いて径方向に張出した係止片を有する前栓と、第１筒状体の手元側端部に脱着自在に装着され、係合柱を収納可能な収納部を先端側に於いて有すると共に、係止片が挿通可能な切欠が一部に形成された係止片が係止される鍔を先端側端部周縁に有する後栓と、前栓の係止片が鍔に係止された状態で係合柱の周方向回転を規制するストッパー機構とを備える。
【０００８】
この玉網の柄は、最も先端側に位置する筒状体の先端に網枠を連結して用いられる。先端側に位置する筒状体から順次手元側に位置する各筒状体内に振出形式に各筒状体が収納されて、第２筒状体へ収納され、最終的に最も手元側に位置する第１筒状体へ収納されてコンパクトな状態となる。そして、釣竿の仕掛けにかかった魚を釣り上げる際には、網側を水面に向かって勢いよく差し出し、順次の筒状体を引き出して長い一本の柄部として先端の網に魚をすくい入れる。
【０００９】
ここで、釣人は、柄部の引き出し長さを以下のように調整することができる。まず、第１筒状体と第２筒状体とを相互にフリーな状態としておけば、各筒状体が全て先端側に飛び出して全筒状体の長さとなる。一方、第２筒状体が第１筒状体内に収納された状態で両者を相互に係合し固定しておけば、第２筒状体の軸方向長さ分だけ全筒状体の長さより短くなった引き出し長さとなる。
【００１０】
具体的には、第２筒状体を第１筒状体内に収納した状態で、第２筒状体の前栓を第１筒状体の後栓に当接させ、両者を相対的に周方向に回転させて、前栓の係合柱の係止片を後栓の鍔の切欠に合わせて、係合柱を収納部に収納する。そして、両者を相対的に周方向に回転させて、係止片を鍔に係止し、ストッパー機構で周方向回転を規制する。
【００１１】
発明２の柄は、発明１の柄であって、その係合柱が矩形板型柱であり係合柱の柱頭の端面の長径方向に係止片が張出し、また、係合柱の柱頭の端面には凹入するボール受けが形成されている。後栓は、手元側端面より収納部に連通する通路を有し、通路内に収納され収納部に向かって一部が突出するボールと、ボールを先端側に付勢する付勢バネとを有している。そして、このボール受け及びボールがストッパー機構である。
【００１２】
この柄において、第２筒状体を第１筒状体内に収納した状態で両者を相互に係合し固定するには、第２筒状体を第１筒状体内に収納した状態で、第２筒状体の前栓を第１筒状体の後栓に当接させ、両者を相対的に周方向に回転させて、前栓の矩形板型の係合柱の長径方向の係止片を後栓の鍔の切欠に合わせて、係合柱を収納部に収納する。この状態で、後栓のボールが付勢バネによって通路から前栓側に突出している。そして、両者を相対的に周方向に回転させると、ボールが係合柱の柱頭の端面のボール受けにはまり、係止片が鍔に係止した状態で、両者の周方向回転が規制される。
【００１３】
両者を取り外す場合は、強く両者を周方向に回転させ、上述の場合と逆の手順を践む。
【００１４】
【発明の実施の形態】
本発明の１つ実施形態について図面を参照しつつ説明する。
本発明の第１実施形態を採用した玉網は、図１に示すように、環状の枠に網が取り付けられた網枠部１とこれに連結される柄とからなる。この玉網の柄は、複数の筒状体からなる柄部２と、枠部２の先端と網枠部１とを連結するための口栓３とを有している。
【００１５】
網枠部１は、ステンレス合金やチタン合金等からなる金属製部材を環状に折り曲げて形成した枠部分を、ナイロン繊維等からなる糸を網目状の編み込んでなる略円筒型の網の開口縁に通して、枠と網とを組み合わせたものである。また、枠部分は環状の外周面に形成され外周方向に開口した溝部を有し、網の開口縁が係止されている金属製またはナイロン製の芯線がこの溝部に嵌入され締め付けられることで、網が枠部分に固定されている。また、この枠部分の一部に雄ねじ等が形成され、この雄ねじ部が口栓３に連結される。
【００１６】
柄部２は、例えば、５つの筒状体（最も手元側に位置する第１筒状体１１〜第５筒状体１５）を順次連結してなる部分である。各筒状体１１〜１５は、それぞれ炭素繊維等の強化繊維に合成樹脂を含浸させた繊維強化樹脂を芯材に巻回して焼成して製造する先細り筒状部材である。これらはいわゆる振出形式で連結されており、順次手元側の筒状体内に収納可能である。即ち、これらの第２筒状体１２〜第５筒状体１５の手元側端部外周面はそれぞれ嵌合雄部（図示せず）となっており、順次各筒状体を引きだして引き延ばした際に、順次手元側の筒状体の先端側の内周面に嵌合される。また、第１筒状体１２〜第４筒状体１４の先端側の内周面は部分的に小径化する等して嵌合雌部（図示せず）となっている。このような各筒状体１１〜１５の外径の先細りテーパは一定のテーパ率に設定されており、各筒状体１１〜１５の外径は順次先端側ほど小径化している。
【００１７】
最も先端側に位置する小径の第５筒状体１５の先端側端部には口栓３が連結されている。この口栓３は、例えば、ＡＢＳやポリカーボネイトのような硬質合成樹脂，ウレタンゴムやスチレンゴム等のゴム，若しくはステンレスなどの金属材からなる。第５筒状体１５の穂先側端部が口栓３の手元側の端面に挿入された状態で螺着若しくは接着されている。また、口栓３の先端側の端面には、上述の枠部分の一部の雄ねじが螺着する雌ねじ部分が形成される。なお、この口栓３の外周面は第２筒状体１４の穂先側端部が嵌着できるように設定しておく。各筒状体を収納した際の栓として口栓３が作用する。
【００１８】
図２及び図３に示すように、第２筒状体１２の手元側端部には、前栓２０が脱着自在に装着されている。即ち、第２筒状体１２の手元側端部内周面にはねじ溝が形成されており、ここに前栓２０が脱着自在に螺着している。
前栓２０は、先端側端面を開口とし手元側端面が閉塞された蓋付き略円筒型の部材であり、ステンレス合金等から構成されている。前栓２０は、先端側の外周面に上述のねじ溝に螺着するために雄ねじ部分を有し、手元側端面に手元側方向に突出する手元側方向視で略矩形型柱状の係合柱２０ａと、係合柱２０ａの柱頭の端面の長径方向に張り出した係止片２０ｂとを有する。これらは一体的に形成されている。この係合柱２０ａの柱頭（手元側）の端面には球面状に凹入するボール受け２１が矩形の長辺方向に間隔を隔てて２カ所に形成されている。また、２つのボール受け２１の間には、係合柱２０ａを軸方向に貫通して先端側に至る貫通孔が形成されている。
【００１９】
なお、この前栓２０の先端側の開口には、この開口を塞ぐようにゴム板２２が配置されている。このゴム板２２が第２筒状体１２内に収納されてくる第３筒状体１３などを受ける緩衝材となる。
一方、図２及び図４に示すように、第１筒状体１１の手元側端部には、後栓３０が脱着自在に装着されている。前栓２０と同様に、第１筒状体１１の手元側端部内周面にはねじ溝が形成されており、ここに後栓３０が脱着自在に螺着している。
【００２０】
後栓３０は、先端側端面を開口とし手元側端面が閉塞された蓋付き略円筒型の部材であり、ステンレス合金等から構成されている。また、前栓２０と同様に、後栓３０の先端側の外周面も第１筒状体１１のねじ溝に螺着するために雄ねじ部分となっており、後端側の外周面は一段大径化して摘み部分となっている。この摘み部分には滑り止め用のローレット溝などを形成してもよい。
【００２１】
この後栓３０の先端側の内部は、前栓２０の係合柱２０ａを収納可能な収納部となっている。そして、先端側の端部周縁は周方向全体にわたって内径方向に張り出した鍔３０ａとなっている。この鍔３０ａの一部は１８０度変位する位置で一対に切り欠かれて切欠３０ｂが形成されている。この切欠３０ｂは前栓２０の係止片２０ｂに合致するものである。
【００２２】
一方、後栓３０の手元側（後端側）には手元側端面から収納部まで軸方向に貫通する一対の貫通通路３０ｃが形成されている。この貫通通路３０ｃの形成位置は、上述の前栓２０の一対のボール受け２１に対応する位置にあり、且つ、その一対の貫通通路３０ｃの配置方向は、上述の切欠３０ｂの形成方向と直交している。この貫通通路３０ｃの先端側出口（収納部側出口）は開口が他の部分より小径化している。また、貫通通路３０ｃの手元側の内周面は雌ねじ部分となっている。貫通通路３０ｃにはステンレスなどの金属製のボール３１が収納されており、ボール３１の手元側にはコイルバネ３２が収納される。そして、手元側開口がボルト３３により閉塞され、コイルバネ３２によりボール３１が先端側に一部を露出させた状態で先端側に付勢されている。
【００２３】
この玉網の柄は、最も先端側に位置する第５筒状体１５の先端の口栓３に網枠部１を連結して用いられる。先端側に位置する第５筒状体１５から順次手元側に位置する各筒状体内に振出形式に各筒状体が収納される。そして、釣竿の仕掛けにかかった魚を釣り上げる際には、網枠部１を水面に向かって勢いよく差し出し、順次の筒状体を引き出して長い一本の柄部として先端の網に魚をすくい入れる。
【００２４】
ここで、釣人は、第１筒状体１１と第２筒状体１２とを調整することで、柄部２の引き出し長さを以下のように調整することができる。まず、第１筒状体１１と第２筒状体１２とを相互にフリーな状態としておけば、各筒状体が全て先端側に飛び出して全筒状体（５本分）の長さとなる。一方、第２筒状体１２が第１筒状体１１内に収納された状態で両者を相互に係合し固定しておけば、第２筒状体１２の軸方向長さ分だけ全筒状体の長さより短くなった引き出し長さ（４本分）となる。
【００２５】
図２に示すように、第２筒状体１２を第１筒状体１１内に収納した状態で両者を相互に係合し固定するには、第２筒状体１２を第１筒状体内１１に収納した状態で、第２筒状体１２の前栓２０を第１筒状体１１の後栓３０に当接させ、両者を相対的に周方向に回転させて、前栓２０の係合柱２０ａの長径方向の係止片２０ｂを後栓３０の鍔３０ａの切欠３０ｂに合わせて、係合柱２０ａを後栓３０の収納部に収納する。この状態で、後栓３０のボール３１が付勢バネ３２によって通路から前栓２０側に突出している。そして、両者を相対的に周方向に回転させると、ボール３１が係合柱２０ａの柱頭の端面のボール受け２１にはまり、係止片２０ｂが鍔３０ａに係止した状態で、両者の周方向回転が規制される。そして、第１筒状体１１と第２筒状体１２とが係合され固定される。両者を取り外す場合は、強く両者を周方向に回転させ、上述の場合と逆の手順を履践すればよい。
【００２６】
【発明の効果】
本発明の玉網は、柄部全体の長さを任意に調整しながら用いることが可能である。
【図面の簡単な説明】
【図１】本発明の１つの実施形態を採用した玉網の全体図。
【図２】図１の玉網の柄部の第１筒状体１２と第２筒状体１２とを示した図。
【図３】第２筒状体１２の手元側の前栓２０を示した図。
【図４】第１筒状体１１の手元側の後栓３０を示した図。
【符号の説明】
１  網枠部
２  柄部
３  口栓
１１〜１５  第１〜第５筒状体
２０  前栓
２１  ボール受け
３０  後栓
３１  ボール
３２  コイルバネ
【図１】
2004254653.tif 000003
【図２】
2004254653.tif 000004
【図３】
2004254653.tif 000005
【図４】
2004254653.tif 000006